(57)【要約】【課題】河川等の土砂の沈降促進及び傾斜地、埋立地等の表層土の流出防止を行う器材を提供することである。【解決手段】ネット体に凹部を有する物体を設けてなる、土木用マット。【選択図】図１
2008208694.tif 000002
【特許請求の範囲】
【請求項１】
ネット体に凹部を有する物体を設けたことを特徴とする土木用マット。
【請求項２】
凹部を有する物体を任意の間隔で間隙部を設けて設置してなる請求項１記載の土木用マット。
【発明の詳細な説明】
【技術分野】
【０００１】  本発明は、河川、傾斜地の法面、埋立地等に敷設する土木用マットに関する。
【背景技術】
【０００２】  従来、河川等の底床の堆積物の拡散の防止、あるいは道路側面の法面、埋立地等における降雨による土砂の流出を防止するために種々の器材や工法が提案されている。例えば法面にネットや人工芝生等を敷設したり、ブロックで覆設したり、さらには河川の底床に凸起状を有するブロック体を沈設させる方法が提案されていた。
【発明の開示】
【発明が解決しようとする課題】
【０００３】  しかしながら、従来の器材あるいは該器材を用いた工法は高価であったり、設置作業が複雑であったり、所期の目的が充分に達成されない等の欠点があった。そこで本発明者は、簡単な作業によって製作が可能であり、また搬送も容易であり、かつ敷設作業も楽に行え、さらに目的とする土砂の流出防止等の効果の優れた器材について種々研究を重ねた結果本発明を完成するに至った。【０００４】  すなわち、本発明は、ネット体に凹部を有する物体を設けたことを特徴とする土木用マット及び該土木用マットを用いた敷設工法に関する。
【発明の効果】
【０００５】  本発明の土木用マットは、施工現場においても簡単に組立が可能であり、また組立てた土木用マットを搬送する場合にも突起物等の凹凸部が少ないためにスペースをとることがなく、さらに凹部を有する物体として古タイヤを用いる場合には産業廃棄物の再利用等ができると共に、施工も極めて簡単であると云う特徴を有する。
【発明を実施するための最良の形態】
【０００６】  次に本発明の土木用マットについて図面を参照しながら説明するが、本発明は、以下の説明のみに限定されるものではない。
図１は、本発明の土木用マットの平面図を示すものである。
１はネット体、２は凹部を有する物体、３は土木用マットである。本発明に使用するネット体１は、その素材として、金属、合成樹脂等のいずれも使用することができ、網目もいずれの形態、形状のものでも使用することができる。またネット体１の素材が合成樹脂の場合、硬質あるいは軟質のいずれの素材も使用し得るが、軟質の可撓性を有するものは、その施工において、後述するような施工方法が行えるので好ましい。【０００７】  さらにネット体１は立体構造を有するものが好ましい。例えば糸状の合成樹脂を用いて図２、図３および図４に示すような構造に一体的に編み込んだネット体１が好ましい。
すなわち、図３に示すように糸状合成樹脂イ（以下糸状体と云うことがある）によって上部骨格体口の六角形の辺Ａから下部骨格体ハの六角形の辺Ｌとが結ばれ、上部骨格体口の六角形の辺Ｂから、下部骨格体ハの六角形の辺Ｈ及び辺Ｋとが結ばれ、上部骨格体口の六角形の辺Ｃと下部骨格体ハの六角形の辺Ｊとが結ばれ、上部骨格体口の六角形の辺Ｄと下部骨格体ハの六角形の辺Ｑとが結ばれ、上部骨格体口の六角形の辺Ｅと下部骨格体ハの六角形の辺Ｏと辺Ｋとが結ばれ、上部骨格体口の六角形の辺Ｆと下部骨格体ハの六角形の辺Ｍとが結ばれている。【０００８】  図２に示したネット体１は、図４に示すように複数本の糸状体イによって編み込まれ、上部六角骨格体口及び下部六角骨格体ハの編込みによる骨格体を形成させながら、糸状体によって前記上部及び下部六角形の骨格体を結ぶように一体的に編込まれて構成されている。
また、他の態様として上部六角骨格体口と下部六角骨格体ハとの六角形の形を大小異なる形状にすることによって圧縮強度が高められる利点を有する。【０００９】  また、本発明の土木用マットに使用する、凹部を有する物体としては、図５に示すような中心部が中空部を有するいわゆるドーナツ形の形状のものでも、図６に示すような窪状の凹部を有する円形体の形状のものでもよい。前記図５に示すドーナツ形の形状の物体としては、例えば古タイヤ等が挙げられる。
また、凹部を有する物体２の外観形状としては図５、図６に示すような円形の他、三角形、四角形、五角形、六角形、楕円形、星形等種々の形状のものが用いられる。使用に際しては、これらの形状のものを適宜組合せて用いることができる。【００１０】  次に本発明の土木用マットについて説明する。
図１は、本発明の土木用マットの一態様を示した平面図である。ネット体１の両縁部に、凹部を有する物体（古タイヤ）２を紐状物、係上金具等を用いて固定する。図１は、凹部を有する物体２を互に接触させた状態で２条設けた場合を示したものである。そしてネット体１の中央部には、凹部を有する物体２をそれぞれ間隙を置いて２条に固定して土木用マット３を構成したものである。【００１１】  また、土木用マット３の他の態様としては、ネット体１の全面に凹部を有する物体２をそれぞれ隣接するように配置し、固定具によって固定した土木用マット３とすることもできる（図示せず）。
さらにネット体１に凹部を有する物体２を任意の個所に間隔を置いて配設する場合、その間隔幅は使用目的によって適宜選択すればよい。間隔幅の形態は、直線状、蛇行状、ジグザグ状等種々の形状にすることができる。【００１２】  次に図１に示した土木用マット３を川床に設置する場合について説明する。図７に示すように水面４下の川床５に、土木用マット３を凹部を有する物体２を下にして敷設する。土木用マット３を川床５に固定する方法としては、土木用マット３の適宜の個所に例えば杭６を打ち込み固定敷設する。
このように川床５に土木用マット３を敷設することによって、水流７によって運ばれてきた土砂類は、土木用マット３の敷設によって図８のように水面４から川床５迄の水流の流速が水面４から川床５にかけて減速（Ｖ１からＶ４）するが特に土木用マット３敷設部において減少度合が大きくなるため（Ｖ３，Ｖ４）、川床５とネット体３の間に沈降滞積する。一且滞積した土砂は、土木用マット３があることによって降雨等により河川の水流が速くなっても舞い上がるようなこともない。【００１３】
2008208694.tif 000003
用いたとき、図９に示すように、直線状に設けられた間隔部を山形の凸状部８として形成するように固定することによって該部分が水の抵抗体となり、水流の流速を減ずることができるので好ましい。【００１４】  また本発明の土木用マット３を傾斜地の法面や埋立地の表面に敷設する場合土木用マット３のネット体１を下にして設置することが好ましい。
このようにネット体２を下にすることによって凹部を有する物体２が上側になることによって、地表表面を流れる水路を分散することができると共に、水量が多くなって凹部を有する物体２を超えて流れる時も一且、凹部を有する物体２の凹部部分によって水速が減速され、水流中の土砂が凹部に沈降滞積するので地層表面が水流で削り取られることもない。
【図面の簡単な説明】
【００１５】
【図１】  土木用マットの平面図
【図２】  立体構造を有するネット体の平面図
【図３】  立体構造を有するネット体の一部を拡大した平面図
【図４】  立体構造を有するネット体の一部の側面図
【図５】  凹部を有する物体の一態様を示す断面図
【図６】  凹部を有する物体の一態様を示す断面図
【図７】  土木用マットを川床に敷設したときの状態図
【図８】  土木用マットを敷設したときの水流の状態を示した状態図
【図９】  土木用マットの敷設方法の一例を示した状態図
【符号の説明】
【００１６】  １・・・ネット体
２・・・凹部を有する物体
３・・・土木用マット
６・・・杭
８・・・山形の凸状部
【図１】
2008208694.tif 000004
【図２】
2008208694.tif 000005
【図３】
2008208694.tif 000006
【図４】
2008208694.tif 000007
【図５】
2008208694.tif 000008
【図６】
2008208694.tif 000009
【図７】
2008208694.tif 000010
【図８】
2008208694.tif 000011
【図９】
2008208694.tif 000012